(57)【要約】【課題】収納ケース内に収納された携帯プリンタの落下を防止する。【解決手段】収納ケース３０は、携帯プリンタ１を収納するケース本体３１と、携帯プリンタ１において印字後のラベルを排出する排出口Ｍが形成された正面の下部を開閉自在に覆う下カバー部３２と、携帯プリンタ１の正面の上部を開閉自在に覆う上カバー部３３とを備えているとともに、収納ケース３０内の携帯プリンタ１を保持するプリンタホルダ３５を備えている。プリンタホルダ３５は、携帯プリンタ１の正面側に部分的に張り出した一対の張出部を備えている。これにより、仮に下カバー部３２がしっかりと閉めてなかったり、閉め忘れていたりしても、収納ケース３０から携帯プリンタ１が落下するのを防止することができる。【選択図】図１６
2015229258.tif 000002
【特許請求の範囲】
【請求項１】
携帯プリンタにおいて印字後の印字媒体を排出する排出口が形成された排出口面を露出させた状態で前記携帯プリンタを収納するケース本体と、
前記携帯プリンタの前記排出口面側を開閉可能なように前記ケース本体に設けられた開閉部材と、
前記ケース本体内に設けられ、前記携帯プリンタの前記排出口面の一部を覆い、前記携帯プリンタを保持するホルダと、
を備えることを特徴とする携帯プリンタ用の収納ケース。
【請求項２】
前記ホルダは、前記ケース本体よりも硬い材料により形成されていることを特徴とする請求項１記載の携帯プリンタ用の収納ケース。
【請求項３】
前記ホルダは、前記携帯プリンタの少なくとも前記排出口面の一部および側面を覆うように設けられていることを特徴とする請求項１または２記載の携帯プリンタ用の収納ケース。
【請求項４】
前記ホルダは、前記携帯プリンタのバッテリを交換するための第１の開口部を有することを特徴とする請求項１、２または３記載の携帯プリンタ用の収納ケース。
【請求項５】
前記ホルダは、前記携帯プリンタにインタフェイス用の接続部材を接続するための第２の開口部を有することを特徴とする請求項１〜４のいずれか１項に記載の携帯プリンタ用の収納ケース。
【請求項６】
前記開閉部材は、
前記携帯プリンタの前記排出口面の下部側を開閉する下カバー部と、
前記携帯プリンタの前記排出口面の上部側を開閉する上カバー部と、
を備え、
前記ホルダは、前記排出口面の一部を覆うように前記携帯プリンタの両側面側から前記排出口面側に張り出す一対の第１の張出部を備え、
前記ケース本体は、前記ホルダの前記一対の第１の張出部を覆うように前記携帯プリンタの両側面側から前記排出口面側に張り出す一対の第２の張出部を備え、
前記下カバー部および前記上カバー部と、前記一対の第２の張出部との対向面には、前記下カバー部および前記上カバー部と、前記一対の第２の張出部とを着脱自在とする面ファスナ部が設けられていることを特徴とする請求項１〜５のいずれか１項に記載の携帯プリンタ用の収納ケース。
【請求項７】
前記下カバー部は、前記携帯プリンタ内の前記印字媒体の供給部を開閉する開閉カバー部の開閉動作に合わせて開閉可能な状態で設けられていることを特徴とする請求項６記載の携帯プリンタ用の収納ケース。
【発明の詳細な説明】
【技術分野】
【０００１】
本発明は、携帯プリンタ用の収納ケースに関し、例えば、携帯プリンタの使用時に携帯プリンタを収納することで携帯プリンタを雨や塵埃等から保護する収納ケースに関するものである。
【背景技術】
【０００２】
携帯プリンタは、郵便物の郵送、宅配便等における物品の流通、あるいは電気やガス等のメータの検診等、様々な分野で使用されている。例えば、宅配便においては、届け先が不在の場合、必要な事項を記載した不在票を携帯プリンタにより発行している。
【０００３】
携帯プリンタは、外部環境で使用されることが多いので、雨や塵埃等から保護するため収納ケースに収納され、使用者のベルトや肩等に掛けられた状態で使用される。携帯プリンタの収納ケースについては、例えば、特許文献１に記載があり、収納ケースにおいて、携帯プリンタの発行口が形成された正面側に、携帯プリンタのフロントカバーおよび発行口を露出させる開口部を備える収納ケースが開示されている。
【先行技術文献】
【特許文献】
【０００４】
【特許文献１】特開２００７−１６７２８１号公報
【発明の概要】
【発明が解決しようとする課題】
【０００５】
ところで、携帯プリンタの正面側に開閉可能な開口部を有する収納ケースの場合、収納ケース内に携帯プリンタを収納したまま、携帯プリンタの正面の発行口から印字後のラベルを排出したり、携帯プリンタにラベル連続体を収容したりすることができるので、防水性や防塵性を確保したまま、操作性や使い勝手の良さを確保することができる。しかし、収納ケース内に携帯プリンタを収容した後、収納ケースにおいて携帯プリンタの正面側をしっかり閉めなかったり、閉め忘れたりすると、収納ケース内の携帯プリンタが収納ケースの正面側から落下してしまう場合がある。
【０００６】
本発明は、上述の技術的背景からなされたものであって、収納ケースに収納された携帯プリンタの落下を防止することのできる技術を提供することを目的とする。
【課題を解決するための手段】
【０００７】
上記課題を解決するため、請求項１に記載の本発明の携帯プリンタ用の収納ケースは、携帯プリンタにおいて印字後の印字媒体を排出する排出口が形成された排出口面を露出させた状態で前記携帯プリンタを収納するケース本体と、前記携帯プリンタの前記排出口面側を開閉可能なように前記ケース本体に設けられた開閉部材と、前記ケース本体内に設けられ、前記携帯プリンタの前記排出口面の一部を覆い、前記携帯プリンタを保持するホルダと、を備えることを特徴とする。
請求項２に記載の発明の携帯プリンタ用の収納ケースは、上記請求項１記載の発明において、前記ホルダは、前記ケース本体よりも硬い材料により形成されていることを特徴とする。
請求項３に記載の発明の携帯プリンタ用の収納ケースは、上記請求項１または２記載の発明において、前記ホルダは、前記携帯プリンタの少なくとも前記排出口面の一部および側面を覆うように設けられていることを特徴とする。
請求項４に記載の発明の携帯プリンタ用の収納ケースは、上記請求項１、２または３記載の発明において、前記ホルダは、前記携帯プリンタのバッテリを交換するための第１の開口部を有することを特徴とする。
請求項５に記載の発明の携帯プリンタ用の収納ケースは、上記請求項１〜４のいずれか１項に記載の発明において、前記ホルダは、前記携帯プリンタにインタフェイス用の接続部材を接続するための第２の開口部を有することを特徴とする。
請求項６に記載の発明の携帯プリンタ用の収納ケースは、上記請求項請求項１〜５のいずれか１項に記載の発明において、前記開閉部材は、前記携帯プリンタの前記排出口面の下部側を開閉する下カバー部と、前記携帯プリンタの前記排出口面の上部側を開閉する上カバー部と、を備え、前記ホルダは、前記排出口面の一部を覆うように前記携帯プリンタの両側面側から前記排出口面側に張り出す一対の第１の張出部を備え、前記ケース本体は、前記ホルダの前記一対の第１の張出部を覆うように前記携帯プリンタの両側面側から前記排出口面側に張り出す一対の第２の張出部を備え、前記下カバー部および前記上カバー部と、前記一対の第２の張出部との対向面には、前記下カバー部および前記上カバー部と、前記一対の第２の張出部とを着脱自在とする面ファスナ部が設けられていることを特徴とする。
請求項７に記載の発明の携帯プリンタ用の収納ケースは、上記請求項６記載の発明において、前記下カバー部は、前記携帯プリンタ内の前記印字媒体の供給部を開閉する開閉カバー部の開閉動作に合わせて開閉可能な状態で設けられていることを特徴とする。
【発明の効果】
【０００８】
請求項１記載の発明によれば、仮に、収納ケースの開閉部材をしっかり閉めなかったり、閉め忘れたりしても、収納ケース内の携帯プリンタをホルダによりしっかりと保持することができるので、収納ケースから携帯プリンタが落下するのを防止することが可能になる。
請求項２記載の発明によれば、収納ケースがホルダにより支えられるので、収納ケースの外形状態の劣化（疲弊）を抑制または防止することが可能になる。
請求項３記載の発明によれば、収納ケースの少なくとも側面部がホルダにより支えられるので、収納ケースの外形状態の劣化（疲弊）を抑制または防止することが可能になる。
請求項４記載の発明によれば、携帯プリンタを収納ケースに収納したまま、携帯プリンタのバッテリを交換することが可能になる。
請求項５記載の発明によれば、携帯プリンタを収納ケースに収納したまま、携帯プリンタにインタフェイス用の接続部材を接続することが可能になる。
請求項６記載の発明によれば、下カバー部および前記上カバー部と、一対の第２の張出部との密着性を向上させることができるので、収納ケース内の携帯プリンタに対する防水性や防塵性を向上させることが可能になる。
請求項７記載の発明によれば、携帯プリンタを収納ケースに収納したまま、印字媒体を携帯プリンタ内に挿入することが可能になる。
【図面の簡単な説明】
【０００９】
【図１】本発明の一実施の形態に係る収納ケースに収納される携帯プリンタの斜視図である。
【図２】図１の携帯プリンタの開閉カバー部を開放した状態の斜視図である。
【図３】図１の携帯プリンタの内部機構の説明図である。
【図４】収納ケースの斜視図である。
【図５】図４の収納ケースの正面図である。
【図６】図４の収納ケースの上カバー部を開放した状態の右側面図である。
【図７】図４の収納ケースの左側面図である。
【図８】図４の収納ケースの背面図である。
【図９】収納ケースの下カバー部および上カバー部を開放した状態の斜視図である。
【図１０】図９の収納ケースを正面右上方側から見た斜視図である。
【図１１】図９の収納ケースを正面左上方側から見た斜視図である。
【図１２】図９の収納ケースの背面側を見た斜視図である。
【図１３】図９の収納ケース内のプリンタホルダを抜き出して正面側から見た斜視図である。
【図１４】図１３のプリンタホルダを下面側から見た斜視図である。
【図１５】図１３のプリンタホルダを背面側から見た平面図である。
【図１６】図９の収納ケースに携帯プリンタを収納した状態を示す斜視図である。
【図１７】図１６の収納ケース内の携帯プリンタおよびプリンタホルダを抜き出して示した斜視図である。
【図１８】図１７の携帯プリンタおよびプリンタホルダを背面側から見た平面図である。
【図１９】携帯プリンタを収納ケースに収納する途中の携帯プリンタおよび収納ケースの斜視図である。
【図２０】携帯プリンタを収納ケースに収納した後の携帯プリンタおよび収納ケースの斜視図である。
【図２１】収納ケースに収納された携帯プリンタにラベル連続体を挿入する途中工程時の携帯プリンタおよび収納ケースの斜視図である。
【図２２】収納ケースに収納された携帯プリンタの印字工程時の状態を示した携帯プリンタおよび収納ケースの斜視図である。
【図２３】本発明の第２の実施の形態に係る収納ケース内のプリンタホルダを抜き出して正面側から見た斜視図である。
【図２４】図２３のプリンタホルダを下面側から見た斜視図である。
【図２５】図２３のプリンタホルダを背面側から見た平面図である。
【図２６】本発明の第３の実施の形態に係る収納ケースを正面左側から見た斜視図である。
【図２７】図２６の収納ケースの下カバー部と上カバー部とを開放した状態の斜視図である。
【発明を実施するための形態】
【００１０】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１１】
（第１の実施の形態）
【００１２】
まず、本実施の形態の収納ケースに収納される携帯プリンタの一例について図１〜図３を参照して説明する。図１は携帯プリンタの斜視図、図２は図１の携帯プリンタの開閉カバー部を開放した状態の斜視図、図３は図１の携帯プリンタの内部機構の説明図である。なお、以下の図において、矢印Ｗは携帯プリンタの幅方向、矢印Ｌは携帯プリンタの長さ方向、矢印Ｄは携帯プリンタの厚さ方向を示している。
【００１３】
携帯プリンタ１は、例えば、扁平な直方体形状に形成されており、図１〜図３に示すように、縦置きの状態で後述の収納ケース内に収納されて人体の腰の位置辺りに装着される。この縦置きの携帯プリンタ１の厚さ方向Ｄの両端面において、印字後のラベルが排出される排出口Ｍ（図１および図３参照）が形成された一端面を正面（排出口面）といい、その反対側の他端面を背面という。また、携帯プリンタ１の長さ方向Ｌの両端面において、上部側の一端面を上面といい、その反対側の他端面を下面という。さらに、携帯プリンタ１において幅方向Ｗの両端面を側面という。
【００１４】
携帯プリンタ１は、ハウジング２と、開閉カバー部３とを備えている。ハウジング２は、携帯プリンタ１の外形を形成するとともに、各構成部を収容するための空間を形成する筐体である。携帯プリンタ１のハウジング２の正面において長さ方向Ｌの上部側には、操作部４、表示部５および電源ボタン６等が幅方向Ｗに沿って順に並んで配置されている。
【００１５】
操作部４は、携帯プリンタ１に必要な情報やコマンドを入力するボタンである。表示部５は、コマンドやメッセージ等を表示する画面であり、例えば、ＬＣＤ（Ｌｉｑｕｉｄ  Ｃｒｙｓｔａｌ  Ｄｉｓｐｌａｙ）により構成されている。電源ボタン６は、携帯プリンタ１の電源をオンオフするボタンである。
【００１６】
操作部４および表示部５は、作業者から見易いように携帯プリンタ１の正面において上部に配置されている。また、操作部４、表示部５および電源ボタン６等が配置されたハウジング２の部分は、作業者が下方を見た場合に操作部４や表示部５等を目視できるように、若干傾斜している。これにより、作業者は、表示部５を見ながら、操作部４を通じて情報やコマンドを携帯プリンタ１に入力することが可能になっている。なお、電源ボタン６は、操作部４や表示部５のように作業者から見易い場所に配置する必要がないので、例えば、携帯プリンタ１の側面や背面に設けても良い。
【００１７】
また、携帯プリンタ１のハウジング２の上面において幅方向Ｗの両端角部には、ベルト掛け部７が設けられている。このベルト掛け部７に肩掛けベルト８（図３参照）を引っ掛けることにより、作業者は、携帯プリンタ１を収納ケースに収納しないでも肩から吊り下げることが可能になっている。
【００１８】
また、携帯プリンタ１の正面において長さ方向Ｌの下部側には、上記開閉カバー部３が開閉可能な状態で設置されている。すなわち、開閉カバー部３は、その長さ方向Ｌの下部がヒンジ等によりハウジング２に軸支されており、その軸支部分を支点として開閉カバー部３の長さ方向Ｌの上部（携帯プリンタ１の長さ方向Ｌのほぼ中央に当たる部分）がハウジング２に対して離間および接近する方向に移動可能な状態で設置されている。携帯プリンタ１の正面において長さ方向Ｌのほぼ中央には、カバーオープンボタン９が配置されている。開閉カバー部３は、そのカバーオープンボタン９を押すことにより開くようになっている。ここでは、開閉カバー部３の上部が下方に向かって開くようになっている。この開閉カバー部３の上部とハウジング２との隙間に上記ラベルの排出口Ｍが形成されている。
【００１９】
また、携帯プリンタ１の一方の側面において、長さ方向Ｌの上部側には、アダプタ接続端子１０（図３参照）が設けられている。このアダプタ接続端子１０は、携帯プリンタ１のバッテリＢｔの充電時に充電用のＡＣ（Ａｌｔｅｒｍａｔｉｎｇ  Ｃｕｒｒｅｎｔ）アダプタ（インタフェイス用の接続部材）Ａｄを接続するための端子である。
【００２０】
また、携帯プリンタ１の他方の側面において、長さ方向Ｌの上部側には、バッテリカバー部１１（図１および図２参照）がハウジング２の表面と面一となるように設けられている。バッテリカバー部１１のスライド式のロックレバー１１ａをスライド操作することにより、バッテリカバー部１１が開くようになっている。
【００２１】
このような携帯プリンタ１のハウジング２の内部には、図３に示すように、ラベル供給部１５、ラベル位置検出センサ１６、印字部１７、バッテリ収容部１８および制御部１９等が設けられている。
【００２２】
ラベル供給部１５は、携帯プリンタ１の内部において長さ方向Ｌの下部に配置されている。ラベル供給部１５は、ロール状のラベル連続体Ｐを回転可能な状態で収容する領域である。上記した開閉カバー部３を開放することにより、携帯プリンタ１のラベル供給部１５内にロール状のラベル連続体Ｐを収容することが可能になっている。
【００２３】
ラベル連続体Ｐは、例えば、長尺帯状の台紙ＰＭと、その長手方向に沿って予め決められた間隔毎に仮着された複数枚のラベルＰＬとを有している。ラベルＰＬは、いわゆるサーマルラベルであり、その表面（印字面）には、予め決められた温度領域に達すると特定の色（黒や赤等）に発色する感熱発色層が形成されている。また、台紙ＰＭのラベル貼付面の裏面には、長手方向に沿って予め決められた間隔毎にラベルＰＬの位置を示す位置検出マーク（図示せず）が形成されている。
【００２４】
ラベル位置検出センサ１６は、ラベル連続体ＰのラベルＰＬの位置（上記台紙ＰＭの位置検出マークや隣り合うラベルＰＬ間の台紙ＰＭ部分等）を検出するセンサであり、反射型または透過型の光センサ等により形成されている。ラベル位置検出センサ１６が反射型の光センサの場合、ラベル位置検出センサ１６の発光部および受光部は、ラベル供給部１５からシート状に繰り出されたラベル連続体Ｐの搬送路において台紙ＰＭの裏面に対向する位置に配置される。一方、ラベル位置検出センサ１６が透過型の光センサの場合、ラベル位置検出センサ１６の発光部および受光部は、ラベル供給部１５からシート状に繰り出されたラベル連続体Ｐを挟むように配置される。
【００２５】
印字部１７は、ラベル連続体ＰのラベルＰＬに印字を行う機能部であり、図２または図３に示すように、サーマルヘッド１７ａと、プラテンローラ１７ｂと、モータ１７ｃと、バネ部材１７ｄとを備えている。
【００２６】
サーマルヘッド１７ａは、例えば、文字、記号、図形またはバーコード等のような情報をラベルＰＬに印字する印字手段であり、開閉カバー部３の閉止時にプラテンローラ１７ｂに対向するようにサーマルヘッド１７ａの印字面を通紙ルートに向けた状態で設置されている。サーマルヘッド１７ａの印字面には、通電により発熱する複数の発熱抵抗体（発熱素子）がラベル連続体Ｐの幅方向（台紙ＰＭの短方向）に沿って並んで設置されている。印字工程の際（開閉カバー部３の閉止時）に、サーマルヘッド１７ａは、バネ部材１７ｄにより、ラベル連続体Ｐを介してプラテンローラ１７ｂ側に付勢される。
【００２７】
プラテンローラ１７ｂは、ラベル連続体Ｐを搬送する搬送手段であり、図３に示すように、開閉カバー部３を閉止したときにサーマルヘッド１７ａに対向するように開閉カバー部３の上部に正逆方向に回動自在の状態で軸支されている。図２に示すように、このプラテンローラ１７ｂのプラテン軸１７ｂｓの一端には、ギア１７ｂｇが接続されている。このギア１７ｂｇは、開閉カバー部３の閉止時にハウジング２内に設置された図示しないギア等に係合され、そのギア等を介してモータ１７ｃに機械的に接続される。
【００２８】
モータ１７ｃは、プラテンローラ１７ｂを正逆方向に回転させる駆動源であり、例えば、ステッピングモータ（図示せず）が使用されている。バネ部材１７ｄは、サーマルヘッド１７ａの背部側に設置され、サーマルヘッド１７ａをプラテンローラ１７ｂに押しつける部材である。
【００２９】
バッテリ収容部１８は、上記したバッテリＢｔを収容する領域である。上記したバッテリカバー部１１を開放することにより、バッテリＢｔをバッテリ収容部１８内に挿入したり、バッテリ収容部１８内から外したりすることが可能になっている。バッテリＢｔは、携帯プリンタ１の全体に電力を供給する充電電池であり、例えば、リチウムイオン電池が使用されている。
【００３０】
制御部１９は、携帯プリンタ１の全体の動作を制御する回路部であり、操作部４、表示部５、電源ボタン６、アダプタ接続端子１０、ラベル位置検出センサ１６、サーマルヘッド１７ａ、モータ１７ｃおよびバッテリＢｔ等と電気的に接続されている。
【００３１】
このような携帯プリンタ１の印字工程においては、ラベル供給部１５からシート状に繰り出されたラベル連続体Ｐの長手方向一端部をサーマルヘッド１７ａとプラテンローラ１７ｂとの間に挟み込んだ状態で、プラテンローラ１７ｂを回転させることによりラベル連続体Ｐを印字部１７に向かって搬送する。この際、ラベル位置検出センサ１６により検出された情報に基づいて印字タイミングを図り、制御部１９からサーマルヘッド１７ａに送信された印字信号によりサーマルヘッド１７ａの発熱抵抗体を選択的に発熱させてラベル連続体ＰのラベルＰＬに所望の情報を印字し、印字後のラベル連続体Ｐを排出口Ｍから排出させる。
【００３２】
次に、本実施の形態の携帯プリンタ１を収納するための収納ケースの一例について図４〜図１８を参照して説明する。
【００３３】
まず、図４は収納ケースの斜視図、図５は図４の収納ケースの正面図、図６は図４の収納ケースの上カバー部を開放した状態の右側面図、図７は図４の収納ケースの左側面図、図８は図４の収納ケースの背面図である。
【００３４】
収納ケース３０は、上記した携帯プリンタ１を収納する容器であり、ケース本体３１と、下カバー部３２と、上カバー部３３とを一体で備えている。なお、収納ケース３０において携帯プリンタ１の正面側を収納ケース３０の正面といい、その反対側の面を収納ケース３０の背面という。また、収納ケース３０において携帯プリンタ１の上面側を収納ケース３０の上面といい、その反対側の面を収納ケース３０の下面という。さらに、収納ケース３０において携帯プリンタ１の側面側を収納ケース３０の側面という。
【００３５】
収納ケース３０のケース本体３１、下カバー部３２および上カバー部３３の材料は、例えば、皮革類（ＰＵ等のような人造皮革を含む）、ビニール（樹脂シート）または合成繊維、あるいは、これらを積層した積層シートにより形成されている。また、ケース本体３１、下カバー部３２および上カバー部３３の材料は、防水性を有することが要求されるので、撥水性を有することが好ましい。
【００３６】
ケース本体３１は、携帯プリンタ１の正面の一部分、背面、両側面および下面を覆うように形成されている。ケース本体３１のケース側面部３１ａ，３１ａは、ケース本体３１の両側面部を構成する部分（携帯プリンタ１の両側面を覆う部分）であり、その各々の外周部には、図４に示すように、収納ケース３０の正面および上面側に張り出す一対の張出部（第２の張出部）３１ｂ，３１ｂが一体で接続されている。この一対の張出部３１ｂ，３１ｂにより、携帯プリンタ１の正面および上面において携帯プリンタ１の側面近傍部分が部分的に覆われている。
【００３７】
また、図６に示すように、ケース本体３１の一方のケース側面部３１ａにおいて、収納ケース３０内の携帯プリンタ１のアダプタ接続端子１０に対応する部分には、開口孔部３１ｃが形成されている。この開口孔部３１ｃは、収納ケース３０内の携帯プリンタ１のアダプタ接続端子１０を収納ケース３０の外部に表出させるための開口部であり、例えば、平面略四角形状に形成されている。
【００３８】
また、そのケース側面部３１ａの上部には、開口孔部３１ｃを覆うように、サイドカバー部３１ｄが設けられている。このサイドカバー部３１ｄは、その平面形状が、ケース側面部３１ａの上部と同じ形状に形成されているとともに、サイドカバー部３１ｄの先端部側がケース本体３１に対して離間および接近する方向に移動可能なように開閉可能な状態で設けられている。
【００３９】
また、このサイドカバー部３１ｄの裏面（ケース側面部３１ａに対向する面）と、ケース側面部３１ａにおいてサイドカバー部３１ｄの裏面が対向する部分とには、それぞれ面ファスナ部Ｆａ，Ｆｂが設けられている。これにより、サイドカバー部３１ｄは、ケース側面部３１ａに対して密着可能なように着脱自在の状態で装着されている。このサイドカバー部３１ｄを閉じて開口孔部３１ｃを閉じることにより収納ケース３０内の密封性を維持することができる。一方、サイドカバー部３１ｄを開けることにより、携帯プリンタ１を収納ケース３０に収納したまま、収納ケース３０内の携帯プリンタ１のアダプタ接続端子１０に対して、収納ケース３０の外部からＡＣアダプタＡｄを電気的に接続してバッテリＢｔを充電することができる。
【００４０】
ここで、上記した面ファスナは、一般にマジックテープ（登録商標）と呼ばれ、フック状に密集して起毛されたフック状起毛部と、ループ状に密集して起毛されたループ状起毛部とを押し付けることで貼り付けたり、互いに離間する方向に力を加えることで剥がしたりすることが可能な部材である。本実施の形態においては、面ファスナ部という場合、例えば、対向面の一方の面にループ状起毛部が設けられ、他方の面にフック状起毛部が設けられている。ただし、面ファスナ部は、ループ状起毛部のみが設けられたループ面と、フック状起毛部のみが設けられたフック面とに分けることに限定されるものではなく、ループ面とフック面とを区別しないタイプを採用しても良い。すなわち、対向面の一方の面および他方の面の各々にループ状起毛部とフック状起毛部との両方を設けても良い。この場合、収納ケース３０の製作時にフック面とループ面との取り付け間違えを防止することができる。なお、以下の図面では、図面を見易くするために面ファスナ部にはハッチングを付した。
【００４１】
また、図７に示すように、ケース本体３１の他方のケース側面部３１ａにおいて、収納ケース３０内の携帯プリンタ１のバッテリカバー部１１に対応する部分には、開口孔部３１ｅが形成されている。この開口孔部３１ｅは、収納ケース３０内の携帯プリンタ１のバッテリカバー部１１を収納ケース３０の外部に表出させるための開口部であり、例えば、平面略四角形状に形成されている。
【００４２】
また、そのケース側面部３１ａの上部には、開口孔部３１ｅを覆うように、サイドカバー部３１ｆが設けられている。このサイドカバー部３１ｆは、その平面形状が、ケース側面部３１ａの上部と同じ形状に形成されているとともに、サイドカバー部３１ｆの先端部側がケース本体３１に対して離間および接近する方向に移動可能なように開閉可能な状態で設けられている。
【００４３】
また、このサイドカバー部３１ｆにおいてケース側面部３１ａに対向する裏面と、ケース側面部３１ａにおいてサイドカバー部３１ｆの裏面に対向する面部分とには、図６で示した面ファスナ部Ｆａ，Ｆｂと同様に、それぞれ面ファスナ部Ｆｃ，Ｆｄ（図７および図８参照）が設けられている。これにより、サイドカバー部３１ｆは、ケース側面部３１ａに対して密着可能なように着脱自在の状態で装着されている。このサイドカバー部３１ｆを閉じて開口孔部３１ｅを閉じることにより収納ケース３０内の密封性を維持することができる。一方、サイドカバー部３１ｆを開けることにより、携帯プリンタ１を収納ケース３０内に収容したまま、収納ケース３０の外部から携帯プリンタ１のバッテリＢｔを交換することができる。
【００４４】
また、図６〜図８に示すように、ケース本体３１の背面部３１ｇは、ケース本体３１の背面部を構成する部分（携帯プリンタ１の背面を覆う部分）である。この背面部３１ｇには、ベルト掛け部３１ｈが形成されている。このベルト掛け部３１ｈに作業者のベルトを挿入することにより、携帯プリンタ１を収納ケース３０内に収納した状態で人体の腰の位置辺りに装着することが可能な構成になっている。ただし、携帯プリンタ１を保持する手段は、ベルト掛け部３１ｈに限定されるものではなく種々変更可能であり、例えば、ケース本体３１の背面に板状フックを設け、これを作業者のベルトに引っ掛けるようにしても良いし、携帯プリンタ１のベルト掛け部７に引っかけられた肩掛けベルト８を作業者の肩に掛けるようにしても良い。
【００４５】
また、ケース本体３１の下面部３１ｉは、ケース本体３１の下面部を構成する部分（携帯プリンタ１の下面を覆う部分）である。この下面部３１ｉには、下カバー部３２が一体に接続されている。この下カバー部３２は、収納ケース３０の正面下部側を構成する部分であり、収納ケース３０の正面下部側の上記一対の張出部３１ｂ，３１ｂを橋渡しした状態で、携帯プリンタ１の正面下部から長さ方向Ｌのほぼ中央位置までを覆うように形成されている。すなわち、下カバー部３２は、ケース本体３１の正面下部から携帯プリンタ１の開閉カバー部３を覆うように延在し、携帯プリンタ１の排出口Ｍを覆わないように排出口Ｍの下部で終端するように形成されている。ここで、下カバー部３２において、下カバー部３２を閉じているときに携帯プリンタ１の排出口Ｍに近い終端側の端部を先端部という。また、下カバー部３２において、下カバー部３２を閉じているときに目視される面を下カバー部３２の表面といい、その裏側であって下カバー部３２を閉じているときに携帯プリンタ１の正面に対向する面を裏面という。
【００４６】
また、この下カバー部３２は、その先端部側がケース本体３１に対して離間および接近する方向に移動可能なように開閉可能な状態でケース本体３１と一体に形成されている。このため、収納ケース３０の下カバー部３２をケース本体３１に対して下方に開くことにより、収納ケース３０内に携帯プリンタ１を収納したまま、収納ケース３０内の携帯プリンタ１の開閉カバー部３を開いて、携帯プリンタ１のラベル供給部１５内にロール状のラベル連続体Ｐを収容することができるようになっている。  
【００４７】
また、この下カバー部３２の表面において先端部側には、その先端部の辺に沿って帯状に延在するように面ファスナ部Ｆｅ（図６、図７参照）が設けられている。
【００４８】
上カバー部３３は、収納ケース３０の上面および正面上部側を構成する部分であり、収納ケース３０の正面上部側の上記一対の張出部３１ｂ，３１ｂを橋渡しした状態で、携帯プリンタ１の上面全体および携帯プリンタ１の正面上部から長さ方向Ｌのほぼ中央位置までを覆うように形成されている。すなわち、上カバー部３３は、ケース本体３１の背面上部から携帯プリンタ１の上面を介して携帯プリンタ１の排出口Ｍを覆う位置まで延在し、その延在端部が、閉止時の下カバー部３２の先端部に上から重なる位置で終端するように形成されている。ここで、上カバー部３３において、上カバー部３３を閉じているときに携帯プリンタ１の排出口Ｍに近い終端側の端部を先端部という。また、上カバー部３３において、上カバー部３３を閉じているときに目視される面を上カバー部３３の表面といい、その裏側であって上カバー部３３を閉じているときに携帯プリンタ１の正面に対向する面を裏面という。
【００４９】
また、この上カバー部３３は、その先端部側がケース本体３１に対して離間および接近する方向に移動可能なように開閉可能な状態でケース本体３１と一体に形成されている。このため、収納ケース３０の上カバー部３３の先端部をケース本体３１に対して上方に開くことにより、収納ケース３０内に携帯プリンタ１を収納することが可能になっている。
【００５０】
また、上カバー部３３の先端部には、その先端部の辺に沿って帯状に延在する重ね板３３ａが接着剤等により接着されている。この重ね板３３ａは、収納ケース３０の外側に向かって若干張り出すように上カバー部３３の表面に接着されており、重ね板３３ａの裏面（携帯プリンタ１の正面に対向する面）が、上カバー部３３の裏面よりも収納ケース３０の外側に向かって窪んでいる。この重ね板３３ａの裏面には、面ファスナ部Ｆｆ（図６および図７参照）が設けられている。この面ファスナ部Ｆｆのファスナ面の位置は、上カバー部３３の裏面よりも下カバー部３２の厚さ分程度だけ収納ケース３０の外側に向かって窪んでいる。
【００５１】
下カバー部３２と上カバー部３３との閉止時には、上カバー部３３の先端部の重ね板３３ａの裏面の面ファスナ部Ｆｆを、下カバー部３２の先端部側の表面の面ファスナ部Ｆｅに重ねることで、下カバー部３２と上カバー部３３とを密着させた状態で貼り付ける。ここで、上カバー部３３の先端部に重ね板３３ａを設けることなく、上カバー部３３の先端部を下カバー部３２の先端部に直接重ねると、上カバー部３３の重なり近傍部分が浮き上がり易くなり、下カバー部３２と上カバー部３３との密着性が低下する場合がある。
【００５２】
これに対して、上記のように上カバー部３３の下部に重ね板３３ａを設けたことにより、上カバー部３３を閉めたときに、上カバー部３３の先端部と、下カバー部３２の先端部とが突き合わされた状態で（図４および図７参照）、上カバー部３３の先端部の重ね板３３ａの裏面の面ファスナ部Ｆｆと、下カバー部３２の先端部側の表面の面ファスナ部Ｆｅとを貼り付けることができるので、上カバー部３３の先端部が浮き上がるのを防止することができる。したがって、下カバー部３２と上カバー部３３との貼付部での密着性を向上させることができる。
【００５３】
また、重ね板３３ａの外周部は、バイアステープＢｓ（図４および図５参照）により被覆されている。バイアステープＢｓが無い場合、作業者の衣服が面ファスナ部Ｆｆに接触して毛玉が形成される等、作業者の衣服を傷つけてしまう場合がある。特に、上カバー部３３の面ファスナ部Ｆｆは、携帯プリンタ１を収納ケース３０内に収納するために上カバー部３３を上方に開く際に作業者の衣服が接触し易いので作業者の衣服を傷つけ易い。また、後述のように、収納ケース３０に収納された携帯プリンタの印字工程時の状態（図２２参照）においても、上カバー部３３が上方に開いた状態になり、使用者はこの状態で携帯プリンタ１を腰の位置辺りに装着することが多いので、上カバー部３３の面ファスナ部Ｆｆが、作業者の衣服に接触し易く、衣服を傷つけ易い。これに対して、本実施の形態においては、重ね板３３ａの外周部をバイアステープＢｓにより被覆したことにより、面ファスナ部Ｆｆが作業者の衣服に触れるのを抑制または防止することができる。したがって、作業者の衣服が面ファスナ部Ｆｆにより傷つくのを抑制または防止することができる。もちろん、バイアステープＢｓにより、面ファスナ部Ｆｆの外周部の毛羽立ち（劣化）をも防止することができる。
【００５４】
また、この上カバー部３３の表面において、収納ケース３０の背面上部から正面に向かって延在する方向の途中の位置には、折り曲げ溝３３ｂ（図４、図５、図７参照）が形成されている。この折り曲げ溝３３ｂは、例えば、熱プレスによる押印加工によって上カバー部３３の幅方向Ｗに沿って略線状に延在した状態で形成されており、この折り曲げ溝３３ｂを境にして上カバー部３３の先端部側を上方に折り曲げることが可能になっている。
【００５５】
この熱プレスによる押印加工によって形成された折り曲げ溝３３ｂは、上カバー部３３の材料の復元力により浅くなり易い上、折り曲げ溝３３ｂの長手方向両側の溝の無い部分の弾性復元力により、上カバー部３３を折り曲げ溝３３ｂを境に折り曲げても真っ直ぐに戻ろうと性質がある。このため、上カバー部３３の折り曲げを繰り返して折り曲げ線を付けておくことにより、直ぐに戻ろうとする力が弱まるので、上カバー部３３の折り曲げ角度を種々に変えた状態で上カバー部３３を止めることができる。このため、上カバー部３３の折り曲げ角度を種々変えた状態で維持することにより、携帯プリンタ１の排出口Ｍの上方に上カバー部３３による庇を形成することができる。
【００５６】
また、上カバー部３３の表面において、収納ケース３０の上面と正面との境界の折り曲げ部の表面と、上カバー部３３の先端部の重ね板３３ａの近傍とには、それぞれ面ファスナ部Ｆｇ，Ｆｈ（図４および図５参照）が設けられている。これにより、折り曲げ溝３３ｂを境にして上カバー部３３の先端部側を上方に折り曲げて上カバー部３３の先端部側の面ファスナ部Ｆｈを上カバー部３３の上面と正面との境界部の面ファスナ部Ｆｇに押し当てることにより、上カバー部３３の先端部を上カバー部３３の上部側に貼り付け、上カバー部３３を上方に折り重ねた状態で保持することが可能になっている。なお、この上カバー部３３の折り重ね部分では、特に密着性を必要としないので、上カバー部３３の保持手段として面ファスナを使用することに限定されるものではなく種々変更可能であり、例えば、雌ボタンと雄ボタンとを嵌合する構成のものでも良い。
【００５７】
また、上カバー部３３において、折り曲げ溝３３ｂの上側には、第１の透明窓部３３ｃが形成され、折り曲げ溝３３ｂの下側（上カバー部３３の先端部側）には、第２の透明窓部３３ｄが形成されている。この第１の透明窓部３３ｃおよび第２の透明窓部３３ｄは、上カバー部３３を閉じたままの状態で収納ケース３０内の携帯プリンタ１の操作部４や表示部５等を目視可能とするための窓部である。
【００５８】
この第１の透明窓部３３ｃおよび第２の透明窓部３３ｄは、例えば、柔軟性を有する透明な樹脂により形成されており、第１の透明窓部３３ｃと第２の透明窓部３３ｄとを重ね合わせた二重窓の状態でも、作業者が操作部４や表示部５等を目視することができ、携帯プリンタ１を正確に操作することが可能になっている。
【００５９】
この第１の透明窓部３３ｃと第２の透明窓部３３ｄとの相対位置関係や窓面積等は、上カバー部３３を折り曲げ溝３３ｂに沿って折り曲げて第１の透明窓部３３ｃと第２の透明窓部３３ｄとを重ねたときに、携帯プリンタ１の正面上部の操作部４、表示部５および電源ボタン６を目視可能なよう設定されている。
【００６０】
本実施の形態においては、第１の透明窓部３３ｃが、ケース本体３１の背面上部近傍からケース本体３１の上面を介して上カバー部３３の折り曲げ溝３３ｂの近傍に渡って形成されており、第１の透明窓部３３ｃの窓面積が第２の透明窓部３３ｄの窓面積よりも広く形成されている。これにより、携帯プリンタ１が収納ケース３０により広く覆われた状態でも、携帯プリンタ１の操作部４等を操作することができる。
【００６１】
ただし、第１の透明窓部３３ｃおよび第２の透明窓部３３ｄの相対位置関係や窓面積等は、携帯プリンタ１の操作部４や表示部５の配置位置等によっても変わるので、上記したもの限定されるものではなく種々変更可能であり、例えば、第１の透明窓部３３ｃと第２の透明窓部３３ｄとの窓面積を同じにしても良い。なお、ここで言う透明とは、操作等の際に当該部材の向こう側が視認可能であることを指し、透明な樹脂とは、無着色な樹脂は勿論のこと、着色された半透明な樹脂や無着色でも半透明な樹脂も含むものとする。
【００６２】
次に、図９は収納ケースの下カバー部および上カバー部を開放した状態の斜視図、図１０は図９の収納ケースを正面右上方側から見た斜視図、図１１は図９の収納ケースを正面左上方側から見た斜視図、図１２は図９の収納ケースの背面側を見た斜視図、図１３は図９の収納ケース内のプリンタホルダを抜き出して正面側から見た斜視図、図１４は図１３のプリンタホルダを下面側から見た斜視図、図１５は図１３のプリンタホルダを背面側から見た平面図である。
【００６３】
図９〜図１１に示すように、収納ケース３０のケース本体３１において一対の張出部３１ｂの表面には面ファスナ部Ｆｉが設けられている。また、下カバー部３２の裏面の幅方向両端近傍には、図１０および図１１に示すように、その辺に沿って帯状に延びる面ファスナ部Ｆｊが設けられている。この面ファスナ部Ｆｉ，Ｆｊにより、一対の張出部３１ｂ，３１ｂに対して下カバー部３２を着脱することが可能になっている。
【００６４】
また、図９〜図１１に示すように、上カバー部３３の裏面において、一対の張出部３１ｂに対向する面部分には面ファスナ部Ｆｋが設けられている。この面ファスナ部Ｆｉ，Ｆｋにより、一対の張出部３１ｂ，３１ｂに対して上カバー部３３を着脱することが可能になっている。
【００６５】
このような収納ケース３０のケース本体３１において一対の張出部３１ｂの幅Ｗｐ（図４参照）は、下カバー部３２および上カバー部３３と、一対の張出部３１ｂ（すなわち、ケース本体３１）との密着性を確保できる寸法であれば良く、例えば５〜１５ｍｍ程度とされている。
【００６６】
また、本実施の形態においては、図９〜図１１に示すように、収納ケース３０内にプリンタホルダ３５が固定された状態で設置されている。プリンタホルダ３５は、主に収納ケース３０内に収納された携帯プリンタ１を保持する保持部材である。このプリンタホルダ３５は、例えば、樹脂または硬質ゴムのような収納ケース３０よりも硬い材料により形成されており、背面部３５ａと、下面部３５ｂと、一対の側面部３５ｃ，３５ｃと、一対の張出部（第１の張出部）３５ｄ，３５ｄとを一体で備えている。
【００６７】
プリンタホルダ３５の背面部３５ａは、携帯プリンタ１の背面を覆う部分である。プリンタホルダ３５は、その背面部３５ａとケース本体３１の背面部３１ｇとを挟むように止められたリベットＲａにより収納ケース３０に固定されている。背面部３５ａには、例えば、４箇所にリベット孔３５ｅ（図１３〜図１５参照）が形成されている。リベットＲａは、そのリベット孔３５ｅに挿通される。
【００６８】
この背面部３５ａの上部において幅方向Ｗの両端部近傍には、それぞれ上方に突き出した突出部３５ｆが設けられており、その各々に上側のリベット孔３５ｅが配置されている。これにより、図１２に示すように、上側の２個のリベットＲａの位置が、作業者のベルトに重ならないようにすることができるので、リベットＲａに起因するベルトの損傷等を防止することができる。
【００６９】
また、プリンタホルダ３５の背面部３５ａを設けたことにより、収納ケース３０の背面側の機械的強度を高めることができるので、収納ケース３０を作業者のベルトに装着した場合の安定性を向上させることができる。
【００７０】
プリンタホルダ３５の下面部３５ｂは、携帯プリンタ１の下面を支える部分である。この下面部３５ｂは、図１０、図１１および図１４に示すように、携帯プリンタ１の下面の厚さ方向Ｄの略半分程度を覆うように形成されている。これにより、収納ケース３０内に収納された携帯プリンタ１をプリンタホルダ３５の下面部３５ｂで支えつつ、収納ケースに収納された携帯プリンタ１の開閉カバー部３を開けることが可能になっている。
【００７１】
プリンタホルダ３５の一対の側面部３５ｃ，３５ｃは、携帯プリンタ１の両側面を覆う部分である。図９、図１０および図１４に示すように、プリンタホルダ３５の一方の側面部３５ｃにおいて、携帯プリンタ１のバッテリカバー部１１に対応する位置には、開口孔部（第１の開口部）３５ｇが形成されている。この開口孔部３５ｇを設けたことにより、携帯プリンタ１を収納ケース３０に収納したまま、携帯プリンタ１のバッテリカバー部１１を開けてバッテリＢｔを交換することができる。開口孔部に代えて、開口切欠部を形成しても良いが、開口孔部にすることによりプリンタホルダ３５の側面部３５ｃの機械的強度や携帯プリンタ１の保持性能を向上させることができる。
【００７２】
また、図１１および図１３に示すように、プリンタホルダ３５の他方の側面部３５ｃにおいて、アダプタ接続端子１０等のようなインタフェイス部の配置部分に対応する位置には、開口切欠部（第２の開口部）３５ｈが形成されている。この開口切欠部３５ｈは、収納ケース３０の上記開口孔部３１ｃ（図６参照）と一致するように形成されている。これにより、上記した収納ケース３０のサイドカバー部３１ｄを開けることで、アダプタ接続端子１０を表出させることができる。したがって、携帯プリンタ１を収納ケース３０に収納したまま、携帯プリンタ１のアダプタ接続端子１０にＡＣアダプタＡｄを電気的に接続することができる。この開口切欠部に代えて開口孔部を形成しても良い。その場合、プリンタホルダ３５の側面部３５ｃの機械的強度や携帯プリンタの保持性能を向上させることができる。
【００７３】
プリンタホルダ３５の一対の張出部３５ｄ，３５ｄは、携帯プリンタ１の正面の一部を覆う部分であり、プリンタホルダ３５の一対の側面部３５ｃ，３５ｃから携帯プリンタ１の正面側に部分的に張り出しているとともに、携帯プリンタ１の下面から携帯プリンタ１の長さ方向Ｌの中央より上部まで延在した状態で形成されている。収納ケース３０内に収納された携帯プリンタ１は、収納ケース３０の正面側から落下しないように一対の張出部３５ｄ，３５ｄにより保持されるようになっている。この一対の張出部３５ｄ，３５ｄは、図９〜図１１に示すように、収納ケース３０の一対の張出部３１ｂ，３１ｂにより覆われるようになっている。
【００７４】
また、プリンタホルダ３５の一対の張出部３５ｄ，３５ｄの長さ方向Ｌの途中には、一対の側面部３５ｃ，３５ｃに向かって凹む凹部３５ｉが形成されている。この凹部３５ｉは、後述するように、携帯プリンタ１の開閉カバー部３を開閉時に、開閉カバー部３の一部に接触しないように凹ませた部分である。
【００７５】
次に、図１６は図９の収納ケースに携帯プリンタを収納した状態を示す斜視図、図１７は図１６の収納ケース内の携帯プリンタおよびプリンタホルダを抜き出して示した斜視図、図１８は図１７の携帯プリンタおよびプリンタホルダを背面側から見た平面図である。
【００７６】
携帯プリンタ１は、その開閉カバー部３（ラベル供給部１５）を下方にした状態で収納ケース３０に収納されている。収納ケース３０内の携帯プリンタ１は、その正面の一部がプリンタホルダ３５の一対の張出部３５ｄ，３５ｄにより支えられ、プリンタホルダ３５にしっかりと保持されている。
【００７７】
この収納ケース３０においては、収納ケース３０内に携帯プリンタ１を収納したまま、上カバー部３３を開いて印字後のラベルＰＬを排出したり、下カバー部３２を開いて携帯プリンタ１のラベル供給部１５にラベル連続体Ｐを収容したりすることができので、高い防水性や防塵性を維持したまま、携帯プリンタ１の操作性や使い勝手の良さを確保することができる。その反面、下カバー部３２をしっかり閉めなかったり、閉め忘れたりすると、プリンタホルダ３５が無い場合、収納ケース３０内の携帯プリンタ１が収納ケース３０の正面側から落下してしまう場合がある。
【００７８】
これに対して、本実施の形態においては、収納ケース３０内にプリンタホルダ３５を設けたことにより、仮に、収納ケース３０の下カバー部３２をしっかり閉めなかったり、閉め忘れたりしても、収納ケース３０内の携帯プリンタ１をプリンタホルダ３５によりしっかりと保持することができるので、収納ケース３０の正面から携帯プリンタ１が落下するのを防止することができる。
【００７９】
また、本実施の形態においては、収納ケース３０内の携帯プリンタ１をプリンタホルダ３５によりしっかりと保持することができるので、携帯プリンタ１の操作やラベル連続体Ｐの切断等、各種の作業を安定した状態で行うことができる。この場合、プリンタホルダ３５の一対の張出部３５ｄ，３５ｄは、携帯プリンタ１の下面から携帯プリンタ１の長さ方向Ｌの半分より上方の位置（例えば、携帯プリンタ１のカバーオープンボタン９よりも上方）までを支えるように形成されている。このように、携帯プリンタ１の長さ方向の半分またはそれより上方までを一対の張出部３５ｄ，３５ｄで覆い支えることにより、携帯プリンタ１の保持性（安定性）を向上させることができる。例えば、ラベル連続体Ｐの使用により携帯プリンタ１の下部が上部に比べて軽くなり、携帯プリンタ１の重心が上方に移動した場合でも、携帯プリンタ１の落下を防止することができる。
【００８０】
また、プリンタホルダ３５は、上記したように、例えば、樹脂または硬質ゴム等のような収納ケース３０よりも硬い材料により形成されている。これにより、プリンタホルダ３５は、携帯プリンタ１を保持する機能だけではなく、収納ケース３０の骨格の一部、あるいは収納ケース３０内での携帯プリンタ１の外殻の一部としての機能を備えている。
【００８１】
すなわち、収納ケース３０内にプリンタホルダ３５を設けたことにより、収納ケース３０がプリンタホルダ３５により支えられるので、収納ケース３０の外形状態が劣化（疲弊）するのを抑制または防止することができる。特に、収納ケース３０の正面の一対の張出部３１ｂ，３１ｂの裏側にプリンタホルダ３５の一対の張出部３５ｄ，３５ｄが配置されていることにより、収納ケース３０の一対の張出部３１ｂ，３１ｂが、よれた状態になるのを抑制することができる。
【００８２】
また、図１６に示すように、収納ケース３０の一対の張出部３１ｂ，３１ｂの裏面側に、プリンタホルダ３５の一対の張出部３５ｄ，３５ｄを設けたことにより、収納ケース３０の下カバー部３２や上カバー部３３を収納ケース３０の一対の張出部３１ｂ，３１ｂに押しつけて貼り付ける場合に、プリンタホルダ３５の一対の張出部３５ｄ，３５ｄが支えとなるので、下カバー部３２や上カバー部３３をしっかりと閉めることができる。すなわち、収納ケース３０のケース本体３１と、下カバー部３２および上カバー部３３との密着性を向上させることができる。
【００８３】
また、収納ケース３０内の携帯プリンタ１の表面をプリンタホルダ３５により保護することができるので、携帯プリンタ１を収納する収納ケース３０を誤って落下させてしまった場合等においても、携帯プリンタ１に与える衝撃を緩和することができ、携帯プリンタ１に生じる損傷を軽減することができる。特に、プリンタホルダ３５を硬質ゴム等で形成した場合には、プリンタホルダ３５が衝撃を吸収してくれるので、携帯プリンタ１に与える衝撃をさらに緩和することができる。
【００８４】
また、プリンタホルダ３５を樹脂や硬質ゴム等で構成することにより、プリンタホルダ３５自体の耐久性を向上させることができる。また、収納ケース３０内に芯材を設けることも考えられるが、その場合、収納ケース３０の作成に工数がかかり、収納ケース３０の作成に時間がかかる上、収納ケース３０のコストが高くなる。これに対して、プリンタホルダ３５の場合は、成型により大量生産することができるので、作成が比較的簡単であり、収納ケース３０の作成時間を短縮できる上、コストの増大を抑えることができる。
【００８５】
また、図１８に示すように、収納ケース３０内に携帯プリンタ１を収納した場合、携帯プリンタ１の背面上部の一部が、プリンタホルダ３５の背面上部の２つの突出部３５ｆの間から露出される。この携帯プリンタ１の背面の露出部分は、携帯プリンタ１を収納ケース３０に出し入れするときに作業者が携帯プリンタ１を摘む部分になる。これにより、上記したように突出部３５ｆにリベットＲａを配置することで作業者のベルトの損傷防止を図るとともに、携帯プリンタ１を収納ケース３０に出し入れするときの摘み領域を確保することができる。
【００８６】
次に、本実施の形態の収納ケース３０の使用方法の一例について図１９〜図２２を参照して説明する。
【００８７】
まず、図１９は携帯プリンタを収納ケースに収納する途中の携帯プリンタおよび収納ケースの斜視図、図２０は携帯プリンタを収納ケースに収納した後の携帯プリンタおよび収納ケースの斜視図である。
【００８８】
まず、作業者は、図９等に示したように、収納ケース３０の下カバー部３２および上カバー部３３を全開した状態で、携帯プリンタ１を収納ケース３０のプリンタホルダ３５にセットする。この場合、上カバー部３３をケース本体３１の背面上端部まで開くことができるとともに、下カバー部３２をケース本体３１の下面端部まで開くことができるので、携帯プリンタ１をプリンタホルダ３５に容易にセットすることができる。
【００８９】
続いて、図１９に示すように、収納ケース３０の下カバー部３２の先端部を上方に移動して下カバー部３２の裏面の面ファスナ部Ｆｊを収納ケース３０の一対の張出部３１ｂ，３１ｂの面ファスナ部Ｆｉに貼り付けて下カバー部３２を閉じる。その後、図２０に示すように、収納ケース３０の上カバー部３３の先端部の重ね板３３ａを下方に移動して重ね板３３ａの裏面の面ファスナ部Ｆｆを下カバー部３２の表面の面ファスナ部Ｆｅに重ねて貼り付けるとともに、上カバー部３３の裏面の面ファスナ部Ｆｋを収納ケース３０の一対の張出部３１ｂ，３１ｂの面ファスナ部Ｆｉに貼り付けて上カバー部３３を閉じ、収納ケース３０を密閉する。これにより、収納ケース３０内の携帯プリンタ１に対する防水性および防塵性を向上させることができる。
【００９０】
また、図２０に示すように、収納ケース３０に収納された携帯プリンタ１の操作部４、表示部５および電源ボタン６を、上カバー部３３の第１の透明窓部３３ｃを通じて目視できるので、収納ケース３０内に携帯プリンタ１を収納したまま、操作部４を操作したり、表示部５を見たり、携帯プリンタ１の電源のオンオフ状態を見たり、電源ボタン６をオンオフしたりすることができる。また、収納ケース３０に収納された携帯プリンタ１のカバーオープンボタン９を、上カバー部３３の第２の透明窓部３３ｄを通じて目視できるので、カバーオープンボタン９を不用意に押してしまうこともない。
【００９１】
次に、図２１は収納ケースに収納された携帯プリンタにラベル連続体を挿入する途中工程時の携帯プリンタおよび収納ケースの斜視図である。
【００９２】
収納ケース３０内の携帯プリンタ１のラベル供給部１５にラベル連続体Ｐを挿入する場合、まず、作業者は、上カバー部３３の折り曲げ溝３３ｂ（図４等参照）を境にして上カバー部３３の先端側を上方に折り曲げて、上カバー部３３の表面先端側の面ファスナ部Ｆｈ（図２０等参照）を、上カバー部３３の表面上部の面ファスナ部Ｆｇ（図２０等参照）に押し当てて貼り付ける。これにより、図２１に示すように、収納ケース３０内の携帯プリンタ１の排出口Ｍを外部に露出させる。このとき、収納ケース３０内の携帯プリンタ１の操作部４、表示部５および電源ボタン６は、上カバー部３３の第１の透明窓部３３ｃと第２の透明窓部３３ｄとが重なった二重窓部を通じて目視可能になっている。
【００９３】
続いて、作業者は、下カバー部３２を剥がし下方に開いて、収納ケース３０から露出する携帯プリンタ１のカバーオープンボタン９を押す。すると、携帯プリンタ１の開閉カバー部３が下方に開くので、その開閉カバー部３の開放口を通じてラベル供給部１５にラベル連続体Ｐ（図２等参照）を挿入する。その後、携帯プリンタ１の開閉カバー部３を閉じて、収納ケース３０の下カバー部３２を閉じる。この際、収納ケース３０の一対の張出部３１ｂ，３１ｂの裏側にプリンタホルダ３５の一対の張出部３５ｄ，３５ｄがあるので、下カバー部３２をしっかりと閉めことができる。
【００９４】
次に、図２２は収納ケースに収納された携帯プリンタの印字工程時の状態を示した携帯プリンタおよび収納ケースの斜視図である。
【００９５】
収納ケース３０内の携帯プリンタ１によりラベル連続体ＰのラベルＰＬに対して印字処理を施す場合、まず、作業者は、図２１で説明したのと同様にして、上カバー部３３の先端部側を上側に折り曲げて上カバー部３３の上部側に貼り付けた後、第１の透明窓部３３ｃおよび第２の透明窓部３３ｄの二重窓部を介して、収納ケース３０内の携帯プリンタ１の操作部４を操作し、携帯プリンタ１に対して所望の情報やコマンドを入力する。この際、第１の透明窓部３３ｃおよび第２の透明窓部３３ｄは、柔らかい材料により構成されているので、二重窓部の外からでも容易にかつ正確に操作部４を操作することができる。また、二重窓部を介して、入力した情報やコマンドを表示部５で目視確認することができる。
【００９６】
このような操作により、収納ケース３０に携帯プリンタ１を収納したまま、携帯プリンタ１の印字部１７（図３参照）でラベル連続体ＰのラベルＰＬに所望の情報を印字した後、印字後のラベル連続体Ｐを携帯プリンタ１の正面の排出口Ｍから排出する。印字に際して、携帯プリンタ１の大半の部分を収納ケース３０で覆うことができるので、携帯プリンタ１の印字動作時においても携帯プリンタ１に対する防水性および防塵性を向上させることができる。また、収納ケース３０内の携帯プリンタ１が揺れ動かないようにプリンタホルダ３５によってしっかりと保持することがでるので、携帯プリンタ１の操作部４の操作やラベル連続体Ｐの切断等のような作業を安定した状態で行うことができる。なお、使用者は、印字発行するたびに上カバー部３３を開閉するのは煩雑なため、常時、上カバー部３３を折り曲げて上カバー部３３の上部側に貼り付けた状態にすることが多い。
【００９７】
（第２の実施の形態）
【００９８】
図２３は第２の実施の形態の収納ケース内のプリンタホルダを抜き出して正面側から見た斜視図、図２４は図２３のプリンタホルダを下面側から見た斜視図、図２５は図２３のプリンタホルダを背面側から見た平面図である。なお、収納ケース３０のケース本体３１、下カバー部３２および上カバー部３３の構成や携帯プリンタ１の構成は、前記第１の実施の形態と同じなので説明を省略する。
【００９９】
本実施の形態においては、プリンタホルダ３５の背面部３５ａおよび一対の側面部３５ｃ，３５ｃの上部に上記した突出部３５ｆ（図１３〜図１５参照）が形成されていない。すなわち、プリンタホルダ３５の背面部３５ａおよび一対の側面部３５ｃ，３５ｃの上部外縁が一致している。なお、この場合、一方の側面部３５ｃの上部が、携帯プリンタ１のアダプタ接続端子１０まで延びていないので、上記開口切欠部３５ｈ（図１３参照）は形成されていない。
【０１００】
このような本実施の形態においては、前記第１の実施の形態と同様の効果が得られる他、以下の効果を得ることができる。すなわち、プリンタホルダ３５の外形が簡素化されているので、前記第１の実施の形態の場合よりもプリンタホルダ３５の成型金型の構造を簡単にすることができる。
【０１０１】
また、図２５に示すように、携帯プリンタ１をプリンタホルダ３５に収納した場合に、携帯プリンタ１の両側面の上部もプリンタホルダ３５から露出される。このため、作業者は、収納ケース３０から携帯プリンタ１を取り出す場合に、携帯プリンタ１の両側面の上部を掴むようにして取り出すことができる。すなわち、作業者は、携帯プリンタ１の操作部４、表示部５および電源ボタン６を触れずに、収納ケース３０から携帯プリンタ１を取り出すことができる。したがって、作業者が、収納ケース３０から携帯プリンタ１を取り出す場合に、携帯プリンタ１の操作部４や電源ボタン６を間違って押してしまうことや表示部５に触れて汚してしまうことを防止することができる。
【０１０２】
（第３の実施の形態）
【０１０３】
図２６は第３の実施の形態の収納ケースを正面左側から見た斜視図、図２７は図２６の収納ケースの下カバー部と上カバー部とを開放した状態の斜視図である。なお、収納ケース３０のケース本体３１、下カバー部３２および上カバー部３３の構成や携帯プリンタ１の構成は、前記第１の実施の形態と同じなので説明を省略する。
【０１０４】
本実施の形態においては、プリンタホルダ３５が、正面ホルダ部３６と、下部ホルダ部３７との２つに分かれている。収納ケース３０内に収納された携帯プリンタ１は、正面ホルダ部３６と下部ホルダ部３７とにより保持されるようになっている。
【０１０５】
正面ホルダ部３６は、収納ケース３０の一対の張出部３１ｂ，３１ｂ間を橋渡すように設けられており、その長手方向両端部のリベットＲｂにより一対の張出部３１ｂ，３１ｂに固定されている。この正面ホルダ部３６下側長辺には、携帯プリンタ１のカバーオープンボタン９を露出させるために、上方向に凹む凹部３６ａが形成されている。
【０１０６】
下部ホルダ部３７は、収納ケース３０内の下部（第１の実施の形態のプリンタホルダ３５の一対の張出部３５ｄ，３５ｄの凹部３５ｉよりも下部）に設置されており、携帯プリンタ１の背面下部、下面、一対の両側面下部および正面下部を覆うように形成されている。
【０１０７】
下部ホルダ部３７は、例えば、２個のリベットＲｃにより収納ケース３０に固定されている。下部ホルダ部３７の下面部（図示せず）は、携帯プリンタ１の下面を支える部分であり、第１の実施の形態のプリンタホルダ３５の下面部３５ｂと同様に、携帯プリンタ１の下面の厚さ方向Ｄの略半分程度を覆うように形成されている。また、下部ホルダ部３７の一対の側面部３７ａの上部は、アダプタ接続端子１０やバッテリカバー部１１よりも下方にあるので、第１の実施の形態のプリンタホルダ３５のような開口孔部３５ｇや開口切欠部３５ｈは形成されていない。
【０１０８】
下部ホルダ部３７の一対の張出部３７ｂ，３７ｂは、携帯プリンタ１の正面下部の一部を覆う部分であり、携帯プリンタ１の側面側から携帯プリンタ１の正面側に部分的に張り出した状態で形成されている。この一対の張出部３７ｂ，３７ｂは、収納ケース３０の一対の張出部３１ｂ，３１ｂにより覆われている。
【０１０９】
このような本実施の形態においては、前記第１の実施の形態と同様の効果が得られる他、以下の効果を得ることができる。すなわち、収納ケース３０の一対の張出部３１ｂ，３１ｂを橋渡すように正面ホルダ部３６を設けたことにより、収納ケース３０の型崩れを防止することができ、収納ケース３０の姿勢を良好に保つことができる。
【０１１０】
以上、本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０１１１】
例えば、前記実施の形態においては、上カバー部の先端部の重ね板において面ファスナ部の外周部をバイアステープで被覆する場合について説明したが、これに限定されるものではなく、下カバー部の先端部において面ファスナ部の外周部をバイアステープで被覆しても良い。
【０１１２】
また、前記実施の形態においては、プリンタホルダを、携帯プリンタの背面、両側面、正面の一部および底面の一部を覆うように設けたが、プリンタホルダは、携帯プリンタの少なくとも正面の一部および側面を覆う構成であれば良く、例えば、プリンタホルダの背面部を無くした構成、すなわち、プリンタホルダを一対の側面部、一対の張出部および下面部で構成しても良い。また、プリンタホルダの下面部を無くした構造、すなわち、プリンタホルダを一対の側面部、一対の張出部および背面部で構成しても良い。また、プリンタホルダの背面部を、一対の側面部を橋渡しするように帯状の形状としても良い。
【０１１３】
また、前記実施の形態においては、印字媒体として複数枚のラベルを台紙に仮着した連続紙を用いた場合について説明したが、これに限定されるものではなく、例えば、一方面に粘着面を有する連続状のラベル（台紙無しラベル）、粘着面を有しない連続状のシート（連続シート）あるいは紙類に限らずサーマルヘッドにより印字可能なフィルム等を印字媒体として使用することもできる。
【産業上の利用可能性】
【０１１４】
以上の説明では、本発明を、印字後のラベルを台紙に貼り付けたまま剥がさずに排出するプリンタに適用した場合について説明したが、これに限定されるものではなく、例えば、印字後のラベルを台紙から剥がして排出する剥離発行機能を備えるプリンタに適用しても良い。
【符号の説明】
【０１１５】
１  携帯プリンタ
２  ハウジング
３  開閉カバー部
４  操作部
５  表示部
６  電源ボタン
７  ベルト掛け部
８  肩掛けベルト
９  カバーオープンボタン
１０  アダプタ接続端子
１１  バッテリカバー部
１５  ラベル供給部
１６  ラベル位置検出センサ
１７  印字部
１８  バッテリ収容部
１９  制御部
３０  収納ケース
３１  ケース本体
３１ａ  ケース側面部
３１ｂ  張出部
３１ｃ  開口孔部
３１ｄ  サイドカバー部
３１ｅ  開口孔部
３１ｆ  サイドカバー部
３１ｇ  背面部
３１ｈ  ベルト掛け部
３１ｉ  下面部
３２  下カバー部
３３  上カバー部
３３ａ  重ね板
３３ｂ  折り曲げ溝
３３ｃ  第１の透明窓部
３３ｄ  第２の透明窓部
３５  プリンタホルダ
３５ａ  背面部
３５ｂ  下面部
３５ｃ  側面部
３５ｄ  張出部
３５ｅ  リベット孔
３５ｆ  突出部
３５ｇ  開口孔部
３５ｈ  開口切欠部
３５ｉ  凹部
３６  正面ホルダ部
３６ａ  凹部
３７  下部ホルダ部
３７ａ  側面部
３７ｂ  張出部
Ｍ  排出口
Ｂｔ  バッテリ
Ａｄ  ＡＣアダプタ
Ｐ  ラベル連続体
ＰＭ  台紙
ＰＬ  ラベル
Ｆａ〜Ｆｋ  面ファスナ部
Ｂｓ  バイアステープ
Ｒａ〜Ｒｃ  リベット
【図１】
2015229258.tif 000003
【図２】
2015229258.tif 000004
【図３】
2015229258.tif 000005
【図４】
2015229258.tif 000006
【図５】
2015229258.tif 000007
【図６】
2015229258.tif 000008
【図７】
2015229258.tif 000009
【図８】
2015229258.tif 000010
【図９】
2015229258.tif 000011
【図１０】
2015229258.tif 000012
【図１１】
2015229258.tif 000013
【図１２】
2015229258.tif 000014
【図１３】
2015229258.tif 000015
【図１４】
2015229258.tif 000016
【図１５】
2015229258.tif 000017
【図１６】
2015229258.tif 000018
【図１７】
2015229258.tif 000019
【図１８】
2015229258.tif 000020
【図１９】
2015229258.tif 000021
【図２０】
2015229258.tif 000022
【図２１】
2015229258.tif 000023
【図２２】
2015229258.tif 000024
【図２３】
2015229258.tif 000025
【図２４】
2015229258.tif 000026
【図２５】
2015229258.tif 000027
【図２６】
2015229258.tif 000028
【図２７】
2015229258.tif 000029
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
携帯プリンタにおいて印字後の印字媒体を排出する排出口が形成された排出口面を露出可能な前記携帯プリンタを収納するケース本体と、
前記携帯プリンタの前記排出口面側を開閉可能なように前記ケース本体に設けられた開閉部材と、
前記ケース本体内に設けられ、前記携帯プリンタの前記排出口面の一部を覆い、前記携帯プリンタを保持するホルダと、
を備えることを特徴とする携帯プリンタ用の収納ケース。
【請求項２】
前記ホルダは、前記ケース本体よりも硬い材料により形成されていることを特徴とする請求項１記載の携帯プリンタ用の収納ケース。
【請求項３】
前記ホルダは、前記携帯プリンタの少なくとも前記排出口面の一部および側面を覆うように設けられていることを特徴とする請求項１または２記載の携帯プリンタ用の収納ケース。
【請求項４】
前記ホルダは、前記携帯プリンタのバッテリを交換するための第１の開口部を有することを特徴とする請求項１、２または３記載の携帯プリンタ用の収納ケース。
【請求項５】
前記ホルダは、前記携帯プリンタにインタフェイス用の接続部材を接続するための第２の開口部を有することを特徴とする請求項１〜４のいずれか１項に記載の携帯プリンタ用の収納ケース。
【請求項６】
前記ホルダは、前記排出口面の一部を覆うように前記携帯プリンタの両側面側から前記排出口面側に張り出す一対の第１の張出部を備え、
前記ケース本体は、前記ホルダの前記一対の第１の張出部を覆うように前記携帯プリンタの両側面側から前記排出口面側に張り出す一対の第２の張出部を備え、
前記開閉部材と、前記一対の第２の張出部との対向面には、前記開閉部材と、前記一対の第２の張出部とを着脱自在とする面ファスナ部が設けられていることを特徴とする請求項１〜５のいずれか１項に記載の携帯プリンタ用の収納ケース。
【請求項７】
前記開閉部材は、
前記携帯プリンタの前記排出口面の下部側を開閉する下カバー部と、
前記携帯プリンタの前記排出口面の上部側を開閉する上カバー部と、を有することを特徴とする請求項６に記載の携帯プリンタ用の収納ケース。
【請求項８】
前記下カバー部は、前記携帯プリンタ内の前記印字媒体の供給部を開閉する開閉カバー部の開閉動作に合わせて開閉可能な状態で設けられていることを特徴とする請求項７記載の携帯プリンタ用の収納ケース。
【手続補正２】
【補正対象書類名】明細書
【補正対象項目名】０００７
【補正方法】変更
【補正の内容】
【０００７】
本発明の実施形態に係る携帯プリンタ用の収納ケースは、携帯プリンタにおいて印字後の印字媒体を排出する排出口が形成された排出口面を露出可能な前記携帯プリンタを収納するケース本体と、前記携帯プリンタの前記排出口面側を開閉可能なように前記ケース本体に設けられた開閉部材と、前記ケース本体内に設けられ、前記携帯プリンタの前記排出口面の一部を覆い、前記携帯プリンタを保持するホルダと、を備えることを特徴とする。
また、前記ホルダは、前記ケース本体よりも硬い材料により形成されていることを特徴とする。
また、前記ホルダは、前記携帯プリンタの少なくとも前記排出口面の一部および側面を覆うように設けられていることを特徴とする。
また、前記ホルダは、前記携帯プリンタのバッテリを交換するための第１の開口部を有することを特徴とする。
また、前記ホルダは、前記携帯プリンタにインタフェイス用の接続部材を接続するための第２の開口部を有することを特徴とする。
また、前記ホルダは、前記排出口面の一部を覆うように前記携帯プリンタの両側面側から前記排出口面側に張り出す一対の第１の張出部を備え、前記ケース本体は、前記ホルダの前記一対の第１の張出部を覆うように前記携帯プリンタの両側面側から前記排出口面側に張り出す一対の第２の張出部を備え、前記開閉部材と、前記一対の第２の張出部との対向面には、前記開閉部材と、前記一対の第２の張出部とを着脱自在とする面ファスナ部が設けられていることを特徴とする。
また、前記開閉部材は、前記携帯プリンタの前記排出口面の下部側を開閉する下カバー部と、前記携帯プリンタの前記排出口面の上部側を開閉する上カバー部と、を有することを特徴とする。
また、前記下カバー部は、前記携帯プリンタ内の前記印字媒体の供給部を開閉する開閉カバー部の開閉動作に合わせて開閉可能な状態で設けられていることを特徴とする。
【手続補正３】
【補正対象書類名】明細書
【補正対象項目名】０００８
【補正方法】変更
【補正の内容】
【０００８】
本発明によれば、仮に、収納ケースの開閉部材をしっかり閉めなかったり、閉め忘れたりしても、収納ケース内の携帯プリンタをホルダによりしっかりと保持することができるので、収納ケースから携帯プリンタが落下するのを防止することが可能になる。
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
携帯プリンタにおいて印字後の印字媒体を排出する排出口が形成された排出口面を露出可能な前記携帯プリンタを収納するケース本体と、
前記携帯プリンタの前記排出口面側を開閉可能なように前記ケース本体に設けられた開閉部材と、
前記ケース本体内に設けられ、前記携帯プリンタの前記排出口面の一部を覆い、前記携帯プリンタを保持するホルダと、を備え、
前記ホルダは、前記携帯プリンタの少なくとも前記排出口面の一部および側面を覆うように設けられていることを特徴とする携帯プリンタ用の収納ケース。
【請求項２】
前記ホルダは、前記ケース本体よりも硬い材料により形成されていることを特徴とする請求項１に記載の携帯プリンタ用の収納ケース。
【請求項３】
前記ホルダは、前記携帯プリンタのバッテリを交換するための第１の開口部を有することを特徴とする請求項１又は２に記載の携帯プリンタ用の収納ケース。
【請求項４】
前記ホルダは、前記携帯プリンタにインタフェイス用の接続部材を接続するための第２の開口部を有することを特徴とする請求項１〜３のいずれか１項に記載の携帯プリンタ用の収納ケース。
【請求項５】
前記ホルダは、前記排出口面の一部を覆うように前記携帯プリンタの両側面側から前記排出口面側に張り出す一対の第１の張出部を備え、
前記ケース本体は、前記ホルダの前記一対の第１の張出部を覆うように前記携帯プリンタの両側面側から前記排出口面側に張り出す一対の第２の張出部を備え、
前記開閉部材と、前記一対の第２の張出部との対向面には、前記開閉部材と、前記一対の第２の張出部とを着脱自在とする面ファスナ部が設けられていることを特徴とする請求項１〜４のいずれか１項に記載の携帯プリンタ用の収納ケース。
【請求項６】
前記開閉部材は、
前記携帯プリンタの前記排出口面の下部側を開閉する下カバー部と、
前記携帯プリンタの前記排出口面の上部側を開閉する上カバー部と、を有することを特徴とする請求項５に記載の携帯プリンタ用の収納ケース。
【請求項７】
前記下カバー部は、前記携帯プリンタ内の前記印字媒体の供給部を開閉する開閉カバー部の開閉動作に合わせて開閉可能な状態で設けられていることを特徴とする請求項６に記載の携帯プリンタ用の収納ケース。